(57)【要約】      （修正有）【課題】簡単な器具によりコタツの端に設置するだけでファンヒーターからの温風をコタツ内に導入できる温風送風器具を提供する。【解決手段】温風送風器具は、長手方向に垂直な複数の折り目により複数の区画に区分された一体の長尺状部材から構成され、複数の折り目に沿って組み立てると断面台形形状となることを特徴とする。複数の折り目は、同一方向からのスリット６１〜６４（部分的切り込み）である。長尺状部材の両端２、３は、互いに嵌合可能な形状に構成されている。長尺状部材の１区画の幅が、長尺状部材の厚さの２倍に等しい。長尺状部材の少なくとも２区画にそれぞれ、一方向に開閉可能なフラップ２２を設ける。さらに、長尺状部材が両面段ボールであることがより望ましい。【選択図】図１
0003233648.tif 000002
【実用新案登録請求の範囲】
【請求項１】
長手方向に垂直な複数の折り目により複数の区画に区分された一体の長尺状部材から構成され、前記複数の折り目に沿って組み立てると断面台形形状となることを特徴とする温風送風器具。
【請求項２】
前記複数の折り目が同一方向からのスリットであることを特徴とする請求項１記載の温風送風器具。
【請求項３】
前記長尺状部材の両端が互いに嵌合可能な形状に構成されていることを特徴とする請求項１記載の温風送風器具。
【請求項４】
前記長尺状部材の１区画の幅が、前記長尺状部材の厚さの２倍に等しいことを特徴とする請求項１記載の温風送風器具。
【請求項５】
前記長尺状部材の少なくとも２区画にそれぞれ、一方向に開閉可能なフラップを設けたことを特徴とする請求項１記載の温風送風器具。
【請求項６】
前記長尺状部材が両面段ボールであることを特徴とする請求項１記載の温風送風器具。
【考案の詳細な説明】
【技術分野】
【０００１】  本考案は、灯油やガスなどを使用するファンヒーターからコタツ内部に温風を送るための温風送風器具に関する。
【背景技術】
【０００２】  従来、一般住宅においては冬期間の暖房として灯油やガスなどを使用するファンヒーターや古来からのコタツが使用されてきた。ファンヒーターは部屋全体を暖めるには適しているが、ファンヒーターの前方以外では暖かさをあまり感じないという欠点があった。一方コタツの場合、足など局部的に身体を温めるには適しているが部屋全体を暖めることはできなかった。また、一つの部屋でファンヒーターとコタツの両方を使用することは不経済である。【０００３】  このような不具合を解決するため例えば特許文献１では、ファンヒーター前面の送風口の一部に、この送風口から放出される温風を集送する温風集送用のフードを、適宜固定手段を介して着脱自在に固定し、このフードの先端に前記ファンヒーターの温風をコタツ等に送り込む送風ホースを取付けたことを特徴とするファンヒーター温風集送機が開示されている。【０００４】  また、特許文献２では、ファンヒーターの送風口から放出される温風をこたつ内に引き込むための温風引き込み器具において、前記ファンヒーターの送風口の近傍に配置される温風集送部と、前記温風集送部に連通接続され且つ前記こたつの閉鎖空間に向けて配置されるダクトとを備え、前記温風集送部は直方体の金属製缶である所謂一斗缶からなり、前記温風集送部の前記ファンヒーターの送風口側に温風を送り込むための開口部を形成し、前記ダクトは円筒形の金属製導管からなり、前記温風集送部の前記開口部と対向する壁面下部に前記ダクトの一端部を接続するための連通孔を設けたことを特徴とする温風引き込み器具が開示されている。【０００５】
【特許文献１】特開平８−６１７８３号公報
【特許文献２】登録実用新案公報第３１７１２４３号公報
【考案の開示】
【考案が解決しようとする課題】
【０００６】  特許文献１及び２に開示されているのはファンヒーターからの温風をコタツ内に引き込むためのダクトを使用する技術であるが、床にダクトが設置されていると蹴飛ばしたりつまずいたりして邪魔になる。本考案はこのような欠点を解決するためになされたものであり、簡単な器具によりコタツの端に設置するだけでファンヒーターからの温風をコタツ内に導入できることを課題とする。
【課題を解決するための手段】
【０００７】  上記の課題を解決するため本考案の温風送風器具は、長手方向に垂直な複数の折り目により複数の区画に区分された一体の長尺状部材から構成され、前記複数の折り目に沿って組み立てると断面台形形状となることを特徴とする。前記複数の折り目は、同一方向からのスリット（部分的切り込み）であることが望ましい。前記長尺状部材の両端は、互いに嵌合可能な形状に構成されていることが好適である。前記長尺状部材の１区画の幅が、前記長尺状部材の厚さの２倍に等しいことも望ましい。前記長尺状部材の少なくとも２区画にそれぞれ、一方向に開閉可能なフラップを設けることも好適である。さらに、前記長尺状部材が両面段ボールであることがより望ましい。
【考案の効果】
【０００８】  本考案による温風送風器具は、組み立てた状態でコタツの端に設置するだけでファンヒーターからの温風をコタツ内に導入することができ、ダクト等がないためコタツの周囲を歩く際の邪魔にならない。また、一体の長尺状部材から構成されているため、組立が簡単で、かつ折りたたむとコンパクトになるため使用しないときの収納が容易である。さらに、部材として両面段ボールを使用することにより、加工・製造が容易で安価に製造できる。
【考案を実施するための最良の形態】
【実施例】
【０００９】  以下図面に基づいて本考案の好適な実施例について説明する。図１は、本考案による温風送風器具の組み立てた状態を示す図である。この実施例は天面区画１０、底面区画４０、５０および壁区画２０、３０からなる台形柱形状であり、底面区画４０、５０に対して天面区画１０の幅を狭くして山形としてある。この形により、コタツの布団を掛けたときに隙間を防止することができる。各辺の境界部にはスリット６１、６２、６３、６４が設けてあり、長尺状部材１（図３参照）の一部を残して切り込みを入れることにより、折り曲げによる組立てを容易としてある。底面区画４０と５０にはそれぞれ凹部４１と凸部５１が形成されており、互いに嵌合することにより一体の底面を形成している。壁区画２０及び３０にはそれぞれ、窓部２１及び３１（３１は図示してない）が設けてあり、折り曲げによりフラップ２２、３２を内側に突出させることができる。このフラップ２２、３２の突出角度を変えることにより、温風の通過量を調整することができる。【００１０】  図２は、図１に示した本考案による温風送風器具を折りたたんだ状態を示す図である。図１の状態でフラップ２２、３２をそれぞれ壁区画２０、３０内に収納し、底面区画４０、５０の凹部４１と凸部５１との嵌合を解除して内側に折り込むことにより、コンパクトに収納することが可能となる。図２においては、天面区画１０の幅を長尺状部材１（図３参照）の厚さの２倍に等しくしてあるため、底面区画４０、５０がぴったりと内側に折り込まれる。【００１１】  図３には、図１に示した本考案による温風送風器具の展開図を示す。図３（ａ）では左から、底面区画４０、壁区画２０、天面区画１０、壁区画３０、そして底面区画５０の順となる。底面区画４０には凹部４１が、壁区画２０及び３０にはそれぞれフラップ２２、３２が、そして底面区画５０には凸部５１がそれぞれ形成されている。（ｂ）は（ａ）に示した展開図の側面図である。長尺状部材１は、ライナー１０１及び１０２の間に中芯１０３を挟み込んだ段ボールで構成されている。スリット６１、６２、６３、６４はそれぞれ、ライナー１０１及び中芯１０３を貫通する切り込みであるが、ライナー１０２までは達していない。これにより、各スリットに従って図の下方向に折り曲げることにより、図１に示した温風送風器具組立体５が完成する。（ｃ）は図３（ａ）のＡ−Ａ’断面図である。壁区画３０の中央部にフラップ３２を形成してある。フラップ３２は不等辺四角形の形状であり、最長辺の折り曲げ部３４のスリットのみライナー１０１及び中芯１０３を貫通する切り込みとしてある。他の辺のスリットはすべて、長尺状部材１を貫通するように形成してある。また、フラップ３０には貫通穴３３が設けてあり、指を入れてフラップを開閉することができる。もう一方の壁区画２０にも同様にフラップ２２が形成してある。【００１２】  図４は、本考案による温風送風器具の使用法を説明する図である。コタツの端の布団と床との間に温風送風器具組立体５を設置し、ファンヒーターの送風口をこの温風送風器具組立体５に向けることにより、温風をコタツ内に導くことができる。図１に示したように、フラップ２２、３２を内側に開くことにより、温風���通路が狭くなるため、フラップ２２、３２の開閉具合により温風の風量を調節することができる。【００１３】  以上、図面に基づいて本考案の好適な実施例について説明したが、本考案の精神に従って多くの改変ができることは言うまでもない。
【産業上の利用可能性】
【００１４】  本考案による温風送風器具は、組み立てた状態でコタツの端に設置するだけでファンヒーターからの温風をコタツ内に導入することができ、ダクト等がないためコタツの周囲を歩く際の邪魔にならない。また、一体の長尺状部材から構成されているため、組立が簡単で、かつ折りたたむとコンパクトになるため使用しないときの収納が容易である。さらに、部材として両面段ボールを使用することにより、加工・製造が容易で安価に製造できる。
【図面の簡単な説明】
【００１５】
【図１】本考案による温風送風器具の組み立てた状態を示す斜視図である。
【図２】本考案による温風送風器具を折りたたんだ状態を示す斜視図である。
【図３】本考案による温風送風器具の展開図を示す。（ａ）は展開した場合の平面図、（ｂ）は側面図、（ｃ）は窓部を含むＡ−Ａ’の断面図を示す。
【図４】本考案による温風送風器具の使用状況を示す図である。
【符号の説明】
【００１６】１：          長尺状部材
２：          端面
３：          端面
５：          温風送風器具組立体
１０：        天面区画
２０：        壁区画
２１：        窓部
２２：        フラップ
２３：        貫通穴
２４：        折り曲げ部
３０：        壁区画
３１：        窓部
３２：        フラップ
３３：        貫通穴
３４：        折り曲げ部
４０：        底面区画
４１：        凹部
５０：        底面区画
５１：        凸部
６１、６２、６３、６４：    スリット
１０１：      ライナー
１０２：      ライナー
１０３：      中芯
【図１】
0003233648.tif 000003
【図２】
0003233648.tif 000004
【図３】
0003233648.tif 000005
【図４】
0003233648.tif 000006